(57)【要約】【課題】分割可能で、長さ、角度の調整が可能な梯子を提供する。【解決手段】建造物の屋根部分の上方に配設されるガイド部材と、上端側にロープを挿通するための吊上部を有し、建造物の壁面に接する側にキャスターを有する上梯子と、上端側で上梯子と連結可能で、建造物の壁面に接する側にキャスターを有する中梯子と、上端側で中梯子と連結可能で、建造物の壁面に接する側にキャスターを有する下梯子と、下梯子の下端側と連結可能で、連結後の梯子を固定する固定具を備え、吊上部に挿通したロープを、ガイド部材に結び付けて張架する。【選択図】図１
2012007367.tif 000002
【特許請求の範囲】
【請求項１】
建造物の屋根部分の上方に配設されるガイド部材と、
上端側にロープを挿通するための吊上部を有し、建造物の壁面に接する側にキャスターを有する上梯子と、
上端側で前記上梯子と連結可能で、建造物の壁面に接する側にキャスターを有する中梯子と、
上端側で前記中梯子と連結可能で、建造物の壁面に接する側にキャスターを有する下梯子と、
下梯子の下端側と連結可能で、連結後の梯子を固定する固定具を備え、
前記吊上部に挿通したロープを、前記ガイド部材に結び付けて張架することを特徴とする分割型梯子。
【請求項２】
前記上梯子、前記中梯子、前記下梯子は、連結の際、所定の角度を成すように連結可能であることを特徴とする請求項１記載の分割型梯子。
【請求項３】
前記上梯子と前記中梯子あるいは前記中梯子と前記下梯子は、ボルト締めして連結されることを特徴とする請求項２記載の分割型梯子。
【請求項４】
建造物の周囲に設置される作業台に、アタッチメントを介して前記下梯子の下端側が取り付けられることを特徴とする請求項１乃至請求項３のいずれか１項に記載の分割型梯子。
【請求項５】
前記中梯子は、前記下梯子と同一形状、同一サイズであることを特徴とする請求項１乃至請求項４のいずれか１項に記載の分割型梯子。
【請求項６】
前記ロープは、クレモナロープであることを特徴とする請求項１乃至請求項５のいずれか１項に記載の分割型梯子。
【請求項７】
前記ガイド部材は、円環状に形成されていることを特徴とする請求項１乃至請求項６のいずれか１項に記載の分割型梯子。
【請求項８】
前記ガイド部材は、レール状に形成されていることを特徴とする請求項１乃至請求項６のいずれか１項に記載の分割型梯子。
【発明の詳細な説明】
【技術分野】
【０００１】
本発明は、分割型梯子に関する。
【背景技術】
【０００２】
従来から、高さを自由に調整することができ、広範な作業条件に適応可能な梯子が提案されている（例えば、特許文献１参照。）。
【先行技術文献】
【特許文献】
【０００３】
【特許文献１】特開２００６−２０７２８３号公報
【発明の概要】
【発明が解決しようとする課題】
【０００４】
しかしながら、一般的な梯子では、梯子を曲面に沿う状態にして使用することはできない。また、長さの調節の自由度も低い。ドーム状の壁などに沿って昇降したい場合、従来の梯子や脚立では、難しい。作業台などは組立に時間がかかり、コストも高価である。
【０００５】
そこで、本発明はかかる従来の事情に対処してなされたものであり、分割可能で、長さ、角度の調整が可能な梯子を提供することを目的とする。
【課題を解決するための手段】
【０００６】
本発明の一態様によれば、建造物の屋根部分の上方に配設されるガイド部材と、上端側にロープを挿通するための吊上部を有し、建造物の壁面に接する側にキャスターを有する上梯子と、上端側で前記上梯子と連結可能で、建造物の壁面に接する側にキャスターを有する中梯子と、上端側で前記中梯子と連結可能で、建造物の壁面に接する側にキャスターを有する下梯子と、下梯子の下端側と連結可能で、連結後の梯子を固定する固定具を備え、前記吊上部に挿通したロープを、前記ガイド部材に結び付けて張架することを特徴とする分割型梯子が提供される。
【発明の効果】
【０００７】
本発明によれば、汎用性を備え、分割可能で、長さ、角度の調整が可能な梯子が得られる。
【図面の簡単な説明】
【０００８】
【図１】本発明の実施形態に係る分割型梯子の外観図である。
【図２Ａ】本発明の実施形態に係る分割型梯子の連結後を示し、（ａ）は連結後の側面図、（ｂ）は上梯子の側面図及び上面図、（ｃ）は下梯子の側面図及び上面図である。
【図２Ｂ】図２Ａにおける一部の詳細図であり、（ｄ）は（ｃ）におけるＡ部の詳細図、（ｅ）は（ｃ）におけるＢ−Ｂでの断面図である。
【図３】連結後の上連結部・下連結部の要部を示す図である。
【図４】上連結部・下連結部の連結の様子を説明する図である。
【図５】分割型梯子の設置および使用方法の一連の流れを示すフローチャートである。
【図６】第２の実施形態に係る分割型梯子の外観図である。
【図７】建造物に分割型梯子を取り付けた様子を示す図である。
【発明を実施するための形態】
【０００９】
以下、本発明の一実施の形態について、図面を参照して説明する。尚、各図において同一箇所については同一の符号を付し、重複した説明は省略する。
【００１０】
（第１の実施形態）
図１は、本発明の第１の実施形態に係る分割型梯子を模式的に示した外観図である。図１に示すように、分割型梯子は、大別すると、上梯子１０、中梯子２０、下梯子３０から構成され、梯子を使用する所定の建造物の外形形状に沿うように、これらを組み合わせて、使用されるものである。所定の建造物の一例としては、レーダーアンテナを覆うレドームがあげられる。レドームは、建造物の上部が半球状を呈し、内部における昼夜の温度変化を嫌い、太陽熱を反射する目的で外観を白く塗ったり、あるいは、低視認性の観点から緑色に塗られる。レドームは、電波透過性で耐環境性の点から、例えばガラス繊維複合材料(GFRP)で製作される。このようなレドームでは、外壁部分を防汚するために、撥水剤のコーティングが定期的に行われる。レドームは、建造物の上部が半球状を呈し、しかも個々のレドームによってサイズも異なるので、通常の梯子では、撥水剤のコーティング作業がしにくい。また、レドームの周囲にレドームの形状に沿った作業用の設備を製作するのは、コストアップにつながる。そこで、複数の建造物の形状、建造物の高さに柔軟に対応可能な分割型梯子が好適となる。
【００１１】
図２Ａは、本発明の実施形態に係る分割型梯子の連結後を示し、（ａ）は連結後の側面図、（ｂ）は上梯子の側面図及び上面図、（ｃ）は下梯子の側面図及び上面図である。また、図２Ｂは、図２Ａにおける一部の詳細図であり、（ｄ）は（ｃ）におけるＡ部の詳細図、（ｅ）は（ｃ）におけるＢ−Ｂでの断面図である。
【００１２】
上梯子１０は、分割型梯子の最も上方に位置する梯子である。中梯子２０は、上梯子１０と下梯子３０の中間に位置する梯子である。下梯子３０は、分割型梯子の最も下方に位置する梯子である。上梯子１０、中梯子２０、下梯子３０は、互いに組み立て可能に構成されており、中梯子２０の数量を変えることで、建造物等状況に応じて分割型梯子全体の長さを調整することができる。
【００１３】
上梯子１０は、その下端側には、中梯子２０と連結するための下連結部１１を有している。また、建造物の壁面に接する側には、分割型梯子が建造物の外壁に沿ってスムーズに移動できるよう、キャスター１２を有している。
【００１４】
中梯子２０は、その上端側には、上梯子１０と連結するための上連結部２１を有している。さらに、その下端側には、下梯子３０と連結するための下連結部２２を有している。また、建造物の壁面に接する側には、分割型梯子が建造物の外壁に沿ってスムーズに移動できるよう、キャスター２３を有している。
【００１５】
下梯子３０は、その上端側には、中梯子２０と連結するための上連結部３１を有している。また、下端側には、後述する固定具４０と連結するための下連結部３２を有している。さらに、建造物の壁面に接する側には、分割型梯子が建造物の外壁に沿ってスムーズに移動できるよう、キャスター３３を有している。
【００１６】
尚、中梯子２０と下梯子３０は、必ずしも独立したものとして寸法や形状が異なっている必要はなく、同一寸法、同一形状のものを、それぞれ、中梯子２０あるいは下梯子３０として使用してもよい。また、キャスター１２，２３，３３は同一のものを使用できる。
【００１７】
上連結部２１，３１と下連結部１１，２２，３２は、分割型梯子を構成する上梯子１０、中梯子２０、下梯子３０の上端側、下端側を連結する部材である。
【００１８】
固定具４０は、下梯子３０の下端側に設ける下連結部３２を固定する部材である。固定具４０は、分割型梯子を立て懸ける足場側に、例えば、上連結部２１，３１と同様の役割をする金具として設置し、梯子の根元を固定するために用いる。
【００１９】
上梯子１０の上端側には、吊上部１３が配設されている。吊上部１３には後述するロープ５０を通すことができ、ロープ５０を引っ張ることで分割型梯子の位置を移動させることができる。
【００２０】
ロープ５０は、上梯子１０の上端部に設けられた吊上部１３に取付けられるもので、分割型梯子を引き上げたり、場合によっては横方向に移動させるためのものである。ロープ５０は、例えば、クレモナロープが好適である。
【００２１】
ガイド部材６０は、ロープ５０を引っ張るときに、任意の方向に引っ張ることが出来るように設置するものである。ガイド部材６０は、ロープ５０を通すことができるように円環状に、あるいはロープ５０を掛着できるようにレール状に形成する。ロープ５０を任意の方向に引っ張れるように、ガイド部材６０は、例えば、レドームの半球形状の屋根部分であって、ハッチ（図示しない）の近傍に、複数個、設けると好適である。 
分割型梯子を成す上梯子１０、中梯子２０、下梯子３０のそれぞれの長さは50〜200cm程度が好適である。上梯子１０、中梯子２０、下梯子３０を連結した１台の分割型梯子の全長は、２〜10ｍ程度となる。上梯子１０、中梯子２０、下梯子３０の横幅寸法は作業者が両足を載せることができるよう、例えば40cm程度が好適である。上梯子１０、中梯子２０、下梯子３０は、連結後に重くなり過ぎないように考慮し、材質はアルミニウムを用いるのが好適である。また、分割型梯子の全体の重量軽減の観点から、上梯子１０の材質はガラス繊維複合材料(GFRP)とすることもできる。
【００２２】
分割型梯子の耐荷重は、同時に二人の作業者が使用可能とする場合には、例えば200〜300kg程度とする。
【００２３】
次に、上連結部２１，３１と下連結部１１，２２，３２との連結について説明する。図３は、連結後の上連結部・下連結部の要部を示し、図４は上連結部・下連結部の連結の様子を説明する図である。例えば、下連結部１１には、締結用のボルト７０が貫通する穴１１ａを形成しておき、上連結部２１には雌ネジ２１ａを切っておき、下連結部１１と上連結部２１を任意の角度を成すようにしてボルト締めする。したがって、分割型梯子を構成する上梯子１０、中梯子２０、下梯子３０を建造物の外形形状に略沿うように角度の調整が可能である。尚、周知のボルトの周り止め構造を適用することにより、ボルトが安易に外れないようにすることができる。
【００２４】
分割型梯子全体の下連結部３２と床側の固定具４０も同様にして固定するのが好適である。
【００２５】
次に、以上のように構成した分割型梯子の設置および使用方法について説明する。図５は、分割型梯子の設置および使用方法の一連の流れを示すフローチャートである。まず、分割型梯子を使用する半球状の建造物の外形から、予め必要となる分割型梯子の長さを見積もり、上梯子１０、下梯子３０、必要な数量の中梯子２０を準備する（ステップＳ５１）。次に、建造物の屋根部分に設けたガイド部材６０に梯子を吊り上げるためのロープ５０を通して、上から垂らす（ステップＳ５２）。上梯子１０の吊上部１３にロープ５０を結び付け、徐々に吊り上げる（ステップＳ５３）。
【００２６】
次に、分割型梯子の上梯子１０を吊り上げたら、上梯子１０の下端に中梯子２０を連結する。以下、必要な数量の中梯子２０を連結するまでこの作業を行う。中梯子２０の下端に下梯子３０を連結する（ステップＳ５４）。梯子が必要な長さに達したら、下梯子３０の下端部を固定具４０で設置面に固定する（ステップＳ５５）。
【００２７】
連結した梯子が動かないように、ロープ５０の吊上部１３側でないほうを、例えば、建造物内部の固定部分（図示しない）に結びつける（ステップＳ５６）。
【００２８】
本実施形態によれば、ドーム型のような曲面（球面）状の壁面でも安定した作業が可能になる。塗料を塗る場合などの壁面に着地しながら作業をすることが難しい場合などに活用できる。
【００２９】
（第２の実施形態）
次に、本発明の第２の実施形態に係る分割型梯子について説明する。図６は、本発明の第２の実施形態に係る分割型梯子の外観図で、図７は建造物に分割型梯子を取り付けた様子を示す図である。レドーム等の建造物の周囲に別途、作業用の作業台８０が設置されている場合には、分割型梯子の固定に係る作業台８０を利用するのが好適である。第２の実施形態では、作業台８０にアタッチメント８１を取り付け、下梯子３０の下連結部３２を該アタッチメント８１に取り付ける。
【００３０】
例えば、図７に示すように、上部が曲面状、下部が直線的な形状をした建造物などに沿うように分割型梯子を設置することに用いる。
【００３１】
本実施形態によれば、作業台に取り付けた場合、上部は曲面で、下部は垂直な形状をした壁面での作業がより容易となる。
【００３２】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００３３】
１００：分割型梯子
１０：上梯子
２０：中梯子
３０：下梯子
４０：固定具
５０：ロープ
６０：ガイド部材
７０：ボルト
８０：作業台
【図１】
2012007367.tif 000003
【図２Ａ】
2012007367.tif 000004
【図２Ｂ】
2012007367.tif 000005
【図３】
2012007367.tif 000006
【図４】
2012007367.tif 000007
【図５】
2012007367.tif 000008
【図６】
2012007367.tif 000009
【図７】
2012007367.tif 000010